(57)【要約】  細長の栽培側溝（３）の細長の下端部（２）と、細長の側端部（５、６）が細長の栽培側溝（３）に接続された２つの細長の側端部（５、６）を有する細長の可撓性シート（４）とによって画定された、温室内で使用するための空気分配導管（１）であって、導管（１）には、その長さに沿って導管（１）の内部（１３）を導管（１）の外部（１４）に流体接続する、複数の開口部（１２、１９）が設けられている。
2021519095.tif 000002
【特許請求の範囲】
【請求項１】
細長の栽培側溝（３）の細長の下端部（２）と、２つの細長の側端部（５、６）を有する細長の可撓性シート（４）とによって画定された、温室内で使用するための空気分配導管（１）であって、細長の側端部（５、６）は、細長の栽培側溝（３）に接続されており、導管（１）の内部（１３）を導管（１）の外部（１４）に流体接続する、その長さに沿う複数の開口部（１２、１９、２１）が設けられている、空気分配導管。
【請求項２】
栽培側溝（３）は、農作物（８）を支持するための中央帯板（７）と、より高い位置にある農作物（８）から水が流れることができる、より低い位置にある２つの側溝（９）とを備える、請求項１に記載の空気分配導管。
【請求項３】
栽培側溝（３）は、板金で作られている、請求項２に記載の空気分配導管。
【請求項４】
シート（４）には、その長さに沿って開口部（１２）が設けられ、導管（１）の複数の開口部は、可撓性シート（４）の複数の開口部（１２）を備える、請求項１〜３のいずれか１項に記載の空気分配導管。
【請求項５】
可撓性シート（４）の細長の側端部（５、６）は、接続部（１８、２０、２４）を介して細長の栽培側溝（３）に接続され、接続部（１８、２０、２４）には開口部（１９、２１、２５）が設けられ、導管（１）の複数の開口部は、接続部（１１）の複数の開口部（１９、２１、２５）を備える、請求項１〜４のいずれか１項に記載の空気分配導管。
【請求項６】
可撓性シート（４）の細長の側端部（５，６）間の距離Ｄは、シート（４）の長さ方向に沿って減少する、請求項１〜５のいずれか一項に記載の空気分配導管。
【請求項７】
接続部（２０）には、導管（１）内の空気の流れ方向に対して垂直な方向を有する複数の流出チャネル（２１）が設けられている、請求項５〜６のいずれかに記載の空気分配導管。
【請求項８】
接続部（２４）は、中空空間（２６）と空気分配導管（１）の内部（１３）とを接続する開口部（２５）及び中空空間（２６）と導管（１）の外部（１４）とを接続する開口部（２７）を設けた細長の中空部である、請求項５〜６のいずれか１項に記載の空気分配導管。
【請求項９】
導管（１）の外部（１４）において、２つの細長の側端部（３２、３３）を有する第２の可撓性の細長のシート（３１）が、その細長の側端部（３２、３３）を介して細長の栽培側溝（４）に接続され、それによって、実質的に第１の導管（１）の下に位置する第２の導管（３０）を形成し、
シート（４）の開口部（１２）は、導管（１）の内部（１３）と第２の導管（３０）の内部とを流体接続し、
第２のシート（３１）には、その長さに沿って第２の導管（３０）の内部と第２の導管（３０）の外部（３４）とを流体接続する開口部（３５）が設けられ、
導管（１）の内部（１３）が、使用時に空気流を導管（１）の一端に供給する空気置換手段（１５）に流体接続される、請求項４に記載の空気分配導管。
【請求項１０】
前記導管（１）の外部（１４）において、第２の可撓性の細長いシート（４７）は、２つの細長の側端部（４８、４９）を有し、端部（２０、２１）が、シート（４７）を接続部（１１、２０、２４）を介して細長の栽培側溝（４）に接続し、それによって、前記第１の導管（１）の実質的に下方に配置された第２の導管（４５）を形成し、
前記シート（４）は、その長さに沿って導管（１）の内部（１３）を第２の導管（４５）の内部と流体接続する開口部（４６）を備え、
第２の導管（４５）の内部は、使用時に第２の導管（４５）の一端に空気流を供給する空気置換手段（１５）に流体接続される、請求項５、７または８のいずれか一項に記載の空気分配導管。
【請求項１１】
温室内に空気を分配するための、請求項１〜１０のいずれか一項に記載の空気分配導管（１）の使用。
【請求項１２】
空気は分配導管（１）の上流端に供給される前に調整され、調整は、前記空気の冷却、加熱、加湿または除湿のいずれか１つまたは全てを含む、請求項１１に記載の使用。
【請求項１３】
上昇流端部が温室の一端部または側壁に配置された通路に流体接続される、請求項１〜１０のいずれか一項に記載の、平行に配置された複数の空気分配管を設けた温室。
【請求項１４】
通路には空気を調整するための手段が設けられ、調整は、前記空気の冷却、加熱、加湿または除湿の内のいずれか１つまたは全てを含む、請求項１３に記載の温室。
【発明の詳細な説明】
【技術分野】
【０００１】
本発明は、温室で使用するための空気分配導管に関する。
【背景技術】
【０００２】
温室で使用するための、このような空気分配導管は、欧州特許第１９２３６１４号明細書に記載されている。本刊行物には、かかる導管として、管の上端に沿って設けられたキャリアに接続された複数のフックによって、栽培側溝または栽培排水管の下に吊り下げられた、開口部を設けた管が記載されている。このような空気分配管は、管の上方に配置された農作物に空気を分配することを目的とする。このような管を使用することの欠点は、栽培排水管の下へのそれらの設置が非常に労働集約的なことである。特に、吊り下げフックが約０．３ｍの間隔で配置されていることが分かった場合、二本の管は１２０メートルを超える長さを有することとなり得ることとなり、単一の温室内には、時には３００本までの平行に配置された管が設置される。次の欠点は、管の上昇流部分の開口部から出る空気が、管の方向に方向性成分を有することである。これは、温室内の不所望の空気循環が生じる可能性があるため、望ましくない。
【０００３】
温室内の望ましくない空気流のこの問題は、Ｔａｅ  Ｙｏｕｎｇ  Ｋｉｍ  ｅｔ  ａｌ．、“Ｉｍｐｒｏｖｉｎｇ  ｔｈｅ  ｄｏｕｂｌｅ  ａｉｒ  ｄｕｃｔ  ｉｎ  ｔｈｅ  ａｉｒ−ｈｅａｔｅｄ  ｔｈｅ  ｈｏｕｓｅ”、Ｊｏｕｒｎａｌ  ｏｆ  ｂｉｏ−ｅｎｖｉｒｏｎｍｅｎｔ  ｃｏｎｔｒｏｌ  ＩＳＳＮ：１２２９−４６７５、ｖｏｌ．１３、ｎｏ．３  ２００４年１月１日（２００４−０１−０１）、１６２−１６６頁。このジャーナル論文は、温室で使用するための空気分配導管を記載しており、この管には内管が設けられている。この内管内で、空気は、ベンチレータから行き止まりまで移動する。このルートに沿って空気は管壁を通過し、内管と外管の間の環状空間に流入する。このようにして、内管内での空気速度の変化は、環状空間内で実質的に一定の圧力に変換される。この結果、空気は、外管の長さに沿って実質的に均等に放出される。また、国際公開第２０１１／０２８１００号は、温室で使用するための内管を備えた空気分配管についても記載している。空気を均等に排出するためのこの二重ダクト効果は周知であり、例えば、英国特許第１２４２５００号明細書、仏国特許発明第２７１３３１７号明細書および米国特許第３８２４９０９号明細書に記載されている。
【０００４】
欧州特許第２００２７０７号明細書は、植物の根が管の内部に延在する管を記載している。この管には、根元にＣＯ２を供給するためのチャネルと、余分な水を排出するための側溝とを設けることができる。
【０００５】
欧州特許第００３１９８５号明細書は、上端部および下端部を有する膨張可能な管を記載している。管の上端部では植物は成長し、その根は境界層に存在するようにスリットを通して下端部まで伸びることができる。この下端部へ向けて、栄養素は、成長を促進するために根に定着し得る、空中浮遊液滴の形成で供給され得る。
【０００６】
欧州特許第２００２７０７号明細書および欧州特許第００３１９８５には、空気を温室内に分配することができる空気分配導管は記載されていない。
【０００７】
国際公開第２０１１／０７１５１１号は、内部に内管を有する外管からなる導管を記載している。得られた環状空間は、複数の区画に分割される。空気は、内管から開口部を介して様々な区画に流れ、これらの区画から温室へ流れる。管の長さに沿って空気の均等な分布を達成するためには、開口部の複雑な配置が必要であるように思われる。この管のさらなる欠点は、複数の区画の使用から生じる複雑さである。
【先行技術文献】
【特許文献】
【０００８】
【特許文献１】欧州特許第１９２３６１４号明細書
【特許文献２】国際公開第２０１１／０２８１００号
【特許文献３】英国特許第１２４２５００号明細書
【特許文献４】仏国特許発明第２７１３３１７号明細書
【特許文献５】米国特許第３８２４９０９明細書
【特許文献６】欧州特許第２００２７０７号明細書
【特許文献７】欧州特許第００３１９８５号明細書
【特許文献８】国際公開第２０１１／０７１５１１号
【非特許文献】
【０００９】
【非特許文献１】Ｔａｅ  Ｙｏｕｎｇ  Ｋｉｍ  ｅｔ  ａｌ．、“Ｉｍｐｒｏｖｉｎｇ  ｔｈｅ  ｄｏｕｂｌｅ  ａｉｒ  ｄｕｃｔ  ｉｎ  ｔｈｅ  ａｉｒ−ｈｅａｔｅｄ  ｔｈｅ  ｈｏｕｓｅ”、Ｊｏｕｒｎａｌ  ｏｆ  ｂｉｏ−ｅｎｖｉｒｏｎｍｅｎｔ  ｃｏｎｔｒｏｌ  ＩＳＳＮ：１２２９−４６７５、ｖｏｌ．１３、ｎｏ．３  ２００４年１月１日（２００４−０１−０１）、１６２−１６６頁
【発明の概要】
【発明が解決しようとする課題】
【００１０】
本発明は、容易に取り付けることができ、好ましくはその長さに沿って実質的に均等な空気の分配を提供する空気分配導管を提供することを目的とする。
【課題を解決するための手段】
【００１１】
これは、以下の空気分配導管によって達成される。温室で使用するための空気分配導管であって、細長の栽培側溝の下端部および、二つの細長の側端部を有する細長の可撓性シートによって画定され、二つの細長の側端部が細長の栽培側溝と接続し、導管には、その長さ方向に沿ってその外部と内部とを流体接続する多数の開口部が設けられている。
【００１２】
出願人は、細長の可撓性シートを使用することによって、栽培側溝の下に吊り下げられた管と比較して、細長の栽培側溝とのより単純な接続を行うことができることを見出した。新規な導管において、導管の一部は、栽培側溝自体の下端部によって提供され、一部は細長のシートによって提供される。これは、管を吊り下げるためのキャリア手段を備えた管を製造する必要性を省くだけではない。また、より容易な方法で栽培側溝に取り付けることができる単純なシートを使用することができる。さらなる利点は、好ましい実施形態および図面を考察する際に記載される。
【００１３】
本発明のこの説明において、上側、下側、上方および下方という用語は、本発明を説明するために使用される。これらの用語は、温室で適用される可能性が最も高いので、本発明を説明する。これらの用語は、保護の範囲を限定するために使用されるものではない。
【００１４】
可撓性シートは、可撓性材料で作ることができる。好ましくは、この材料は、例えばポリプロピレンのようなポリマーである。
【００１５】
シートは、細長の栽培側溝に直接接続されてもよく、中間部分を介して接続されてもよい。シートは、好ましくは、シートの簡単な設置を可能にする方法で、栽培側溝または中間連結部に連結される。１つの好ましい実施形態では、接続は、シートの細長の縁部に存在するような細長いロープによる。このようなロープは、栽培側溝上または任意の中間部分上に存在するような、案内プロファイルストリップ内を摺動することができる。ロープを設けたシートと案内プロファイルストリップとの間のこのような接続は、例えば、帆船のマストにあるように、主セールのラフを案内プロファイルストリップに接続するために、公知のように行うことができる。ロープは、シートの端部を折り畳んでシートのより厚い端部を形成することによって作ることができる。あるいは、ロープは、例えば縫製、接着又は溶接によってシートの側面に接続された実際のロープであってもよい。また、シートの細長の端部は、中間部又は栽培側溝の２つの連結部の間にシートをクランプすることによって中間部に連結することができる。
【００１６】
シートは、その長さに沿って開口部を備えることができる。次いで、導管の多数の開口部は、可撓性シートの多数の開口部を具備する。これらの開口部を通して、導管を通って輸送される空気は、導管の内部から導管の外部に排出される。組み合わせて、または代替として、導管の複数の開口部は栽培側溝自体に存在してもよく、またはより好ましくは、シートを栽培側溝に接続する中間接続部分に存在してもよい。
【００１７】
空気分配導管は、好ましくは、排出された空気の量が、その長さに沿って均等に分配されるように、空気をその長さに沿って排出し、排出された空気が農作物に沿って上方に流れるときの排出された空気の方向は、実質的に垂直な流れである。空気分配導管は、好適には、下流端で閉鎖されるか、または実質的に閉鎖され、その上流端でベンチレータのような空気置換手段に接続される。これは、空気速度が導管の長さ方向に沿って減少し、空気の静圧が増加することになる。特別な措置を取らないと、より多くの空気が導管の下流の開口部から出て、上流の開口部から排出される空気は、例えば英国特許第１２４２５００号明細書の図３で説明されているように、導管内の空気の方向から生じる方向性成分を有することになる。
【００１８】
好ましくは、本発明による導管内の管は、導管の長さに沿って、より均等な空気流出を達成するように配置される。この管は空気変位手段に接続され、その結果、空気はこの内管を経て内管の壁と空気分配導管との間の空間に移動し、そこから空気分配導管の外部に移動することになる。
【００１９】
一実施形態の導管内部のこうした管の欠点は、空気分配導管内への内管の設置に多くの時間と労力を要することである。この理由のために、本発明による空気分配導管に隣接して第２の導管を配置することが好ましい。この第２の導管は、好ましくは、２つの細長の側端部を有する、さらなる細長の可撓性シートによって形成され、この細長の側端部は、直接または中間接続部分を介して、細長の栽培側溝に接続される。可撓性シートの使用は、管よりも製造が簡単であるので有利である。２つの隣接する導管は、シートの内の１つの開口部を介して、それらの長さに沿って互いに流体接続される。空気分配導管または第２の導管は、図に図示されるように、空気変位手段に接続されてもよい。
【００２０】
栽培側溝は、農作物を支持するための中央ストリップと、より高い位置にある農作物から水が流れることができる、２つのより低い位置にある側溝とを含むことができる。溝は、適切には、水が流れることができる流路をもたらすように、上向きの外壁を有する。一枚のシートまたは複数枚のシートは、栽培側溝に直接、より好ましくは側溝の外壁に接続することができる。外壁には、先に言及したシートのロープを受け入れるための案内プロファイルストリップを設けることができる。上方に向けられた外壁は、下向きフラップを備えて延在し、このフラップは、そのような案内プロファイルストリップを備えていると考えられる。フラップ自体には、導管の内部と導管の外部とを接続する空気分配導管の開口部として機能し得る開口部が設けられていてもよい。これらの栽培側溝は、好ましくは、板金から作られ、好ましくは、金属板をロール成形することによって作られる。栽培側溝は、ロール成形によって金属の単一の役割から現場で形成することができる。
【００２１】
培養側溝は、上部に配置された農作物を空気分配導管の内部空間から流体的に分離する。空気分配導管では、農作物の根は空気分配導管の内部に広がらない。
【００２２】
このようなフラップ、案内プロファイルおよび開口部を栽培側溝に追加することは、金属の単一の役割からロール成形によって栽培側溝が作られる場合に複雑であり得る。したがって、２つの溝各々と、より好ましくは上向きの各外側溝壁に接続される中間接続部を使用することが好ましい。中間部分には開口部を設けることができる。好ましくは、中間接続部には開口部が設けられており、この開口部は、空気が空気分配導管から温室の生育部に排出されるときに、空気の実質的に垂直な流出方向をもたらす。これは、空気分配導管内の空気の流れ方向に垂直に向けられ、空気分配導管の長さに沿って配置された多数のチャネルを設けることによって達成することができる。中間連結部が、中空空間と空気分配導管の内部とを接続する開口部と、中空空間と温室の生育部とを接続する開口部とを設けた中空部であることが好適である。この中空空間は、空気分配導管内の静圧の差の一部を平準化して、温室の生育部への空気の、より均等な流出をもたらす可能性がある。このような中空の中間接続部は、２つの細長の部品から作ることができ、各部品は、ロール成形によって現場で作られ、これらの部品は、クランプ接続によって接続することができる。このクランプ接続において、シートは、シートと中間接続部との間の接続をもたらす結果となる、これらの２つの部分によって挟まれてもよい。
【００２３】
本発明による空気分配導管は、好ましくは温室で使用される。本発明は、これらの空気分配導管を備えた温室にも関する。好ましくは、平行に配置された多数の空気分配導管がこのような温室内に存在する。空気分配導管の上昇流端部は、温室の端部または側壁の一方の近くに配置することができる。より好ましくは、端部は、温室の側部または端部に沿って延びる通路に流体接続される。このような通路において、温室外からの空気、温室内からの空気および／またはそれらの混合物は、空気が空気分配導管の上流端に供給される前に、任意に調整されてもよい。平行に配置された空気分布の１つのグループの上昇流端部が、温室の一方の側または端部の１つの通路に流体的に接続され、別のグループが温室の反対側の端部または側壁の通路に流体的に接続されている可能性さえある。調整は、空気を冷却、加熱、加湿または除湿することを含むことができる。このような空調通路は周知であり、例えば欧州特許第１４６４２１９号明細書、国際公開第２００４／０３２６０６号、国際公開第００／７６２９６号、国際公開第第２０１５／０１２６９８号および国際公開第２００８／００２６８６号に記載されている。
【図面の簡単な説明】
【００２４】
【図１】図２に示す空気分配導管のＡＡ’断面図である。
【図２】図１の導管の上昇流部分を横から示す図である。
【図３】図４に示す空気分配導管のＡＡ’断面図である。
【図４】図３の導管の上昇流部分を横から示す図である。
【図５】中間接続部を有する代替の導管を示す図である。
【図６】図５に示す導管のより詳細な図である。
【図７】中間接続部を有する代替の導管を示す。
【図８】空気分配導管に隣接して第２の導管が配置される実施形態を示す図である。
【図９】空気分配導管の他の形態を示す図である。
【図９Ａ】シートの端部及びシートの端部が溝の外壁の上端部にどのように接続されるかの例を示す図である。
【図１０】シートの端部及びシートの端部が溝の外壁の上端部にどのように接続されるかの別の例を示す図である。
【図１１】第２の導管が空気分配導管に隣接して配置されている、図３と同様の導管を示す図である。
【図１２】空気分配導管の他の形態を示す図である。
【図１３】空気分配導管の他の形態を示す図である。
【図１４】空気分配導管内の空気流の方向に徐々に減少する、直径Ｄを有する可能なシートを示す図である。
【図１５】空気分配導管の他の形態を示す図である。
【図１６】空気分配導管の他の形態を示す図である。
【図１７】シートの他の形態を示す図である。
【図１８】平行に配置された複数の空気分配導管を備えた温室を示す図である。
【図１９】図１８に示す半閉鎖温室のＡＡ’断面図である。
【発明を実施するための形態】
【００２５】
発明は、以下の図面によって例示される。図１は、図２に示す空気分配導管（１）のＡＡ’断面図である。導管（１）は、細長の栽培側溝（３）の下端（２）と、細長の可撓性シート（４）によって画定される。シート（４）は、細長の栽培側溝（３）に接続された２つの細長の側端部（５，６）を有する。栽培側溝（３）は、農作物（８）を支持するための中央帯板（７）と、より高い位置にある農作物（８）から水が流れることができる、より低い位置にある２つの側溝（９）とをそれぞれの側に有する。側溝（９）は、水が流れることができるチャネルが得られるように、上向きの外壁（１０）を有する。シート（４）は、側溝（９）の外壁（１０）の上端（１１）に直接接続されている。外壁には、２枚シートの実施形態について図９Ａおよび図１０にさらに詳細に示すように、シート（４）の端部（５，６）に設けられているようなロープを受け入れるための案内プロファイル帯板が上端（１１）に設けられている。シート（４）には、導管（１）の内部（１２）を導管（１）の外部（１３）と流体的に接続する多数の開口部（１０）が、その長さに沿って設けられている。
【００２６】
図２は、図１の導管（１）の上昇流部分を横から示している。一般的な温室用途における導管（１）の長さは、図２の長さよりもかなり長くなる。導管（１）の上昇流端部では、ファン（１５）が示されている。このファンは空気を導管（１）に引き込む。空気は、温室の外部からの空気、温室内からの再循環空気、またはこれらの空気流の混合物であってもよい。平行に配置された多数の導管の上昇流端部は、温室の壁の混合通路に流体接続されてもよく、そこでは、温室の外部からの空気、温室内からの再循環空気、またはこれらの空気流の混合物が、例えば、出願人の国際公開第１７／１７６１１４号に記載されているように、複数のファン（１５）に供給されてもよい。
【００２７】
図３は、図４に示す空気分配導管（１）のＡＡ’断面図を示している。図１と同様に、導管（１）は、細長い栽培側溝（３）の下端部（２）と、細長の可撓性シート（４）によって画定されている。シート（４）は、中間接続部（１８）を介して側溝（３）に連結されている。図示のように、接続部（１８）は、その長さに沿って一列の開口部（１９）が設けられた、折り畳まれた金属帯板であってもよい。帯板（１８）の上部は、側溝（９）の外壁（１０）の上端部（１１）から吊り下げることができるように折り畳まれている。帯板（１８）の下端部には、２枚シートの実施形態について、図９Ａ及び図１０にさらに詳細に示すように、シート（４）の端部（５，６）に設けられているようなロープを受け入れるための、案内プロファイル帯板を設けることができる。
【００２８】
図４は、図３の導管（１）の上昇流部分を横から示している。
【００２９】
図５は、代替の中間接続部（２０）を有する導管（１）を示す。この部分（２０）には、図６にさらに詳しく示すように、導管（１）内の空気の流れに対して垂直方向に空気を導く多数の流出チャネル（２１）が設けられている。これらのチャネル（２１）の、その交差流領域に対して十分な長さを選択することによって、空気が導管（１）の外部（１４）に放出されるとき、空気は実質的に垂直方向を有することになる。部分（２０）は、側溝（９）の外壁（１０）の上端部（１１）から吊り下げることができるように折り畳まれた上端部を有し、シート（４）の端部（５，６）と接続するための案内プロファイル（２２）を備えている。
【００３０】
図７は、代替の中間接続部（２４）を有する導管（１）を示す。接続部（２４）は、中空空間（２６）と空気分配導管（１）の内部（１３）とを接続する開口部（２５）及び、中空空間（２６）と外部（１４）の温室成長部とを結ぶ開口部（２７）を設けた細長の中空部である。この中空空間（２６）は、空気分配導管（１）内の静圧の差を幾分平準化し、その結果、開口部（２７）を通した温室成長部への空気の流出がより均等になる。接続部（２４）は、その上端部にある折曲部（２８）によって、溝（９）の外壁（１０）の上端部（１１）から吊り下げられている。その下端部（２４）には、シート（４）の端部（５，６）と接続するための案内プロファイル（２９）が設けられている。
【００３１】
図８は、本発明による空気分配導管（１）に隣接して第２の導管（３０）が配置される実施形態を示す。この第２の導管は、２つの細長の側端部（３２、３３）を有するさらなる細長の可撓性シート（３１）によって形成される。シート（３１）の細長の側端部は、この図では細長の栽培側溝（９）に直接接続されている。詳細Ｂのための２つの可能な接続が、図９および図１０に示されている。代替的に、接続部が使用されてもよい。導管（１）の上流には、ファン（１５）が存在する。導管（１）は、その長さに沿ってシート（４）の開口部（１２）によって導管（３０）に流体接続されている。導管（３０）は、シート（３１）の長さに沿って開口部（３５）によってその外部（３４）に流体接続される。導管（３０）は、空気分配導管（１）内の静圧の差を幾分平準化し、その結果、開口部（３５）を通した温室成長部への空気の流出がより均等になる。
【００３２】
図９Ａは、シート（４）の端部（６）及びシート（３１）の端部（３３）が、溝（９）の外壁（１０）の上端部（１１）にどのように接続されるかの例を示す。端部（６）には、案内プロファイル（３７）内を移動するロープ（３６）が設けられている。端部（３３）には、案内プロファイル（３９）内を移動するロープ（３８）が設けられている。
【００３３】
図１０は、シート（４）の端部（６）及びシート（３１）の端部（３３）が、溝（９）の外壁（１０）の上端部（１１）にどのように接続されるかの別の例を示す。端部（６）及び（３３）は、案内プロファイル（４１）を移動する同じロープ（４０）に接続されている。
【００３４】
したがって、本発明は、導管（１）の外部（１４）において、２つの細長の側端部（３２、３３）を有する第２の可撓性の細長のシート（３１）が、その細長の側端部（３２、３３）を介して細長の栽培側溝（４）に接続され、それによって、第１の導管（１）の実質的に下方に位置する第２の導管（３０）を形成し、
シート（４）の開口部（１２）が、導管（１）の内部（１３）と第２の導管（３０）の内部とを流体接続し、
第２のシート（３１）に、その長さに沿って第２の導管（３０）の内部と、第２の導管（３０）の外部（３４）とを流体接続する開口部（３５）が設けられ、
導管（１）の内部（１３）が、使用時に導管（１）の一端に空気の流れを供給する空気置換手段（１５）に流体接続される、空気分配導管にも関する。
【００３５】
図１１は、第２の導管（４５）が導管（１）に隣接して配置されている、図３と同様の導管（１）を示す。図８の実施形態との相違点は、ファン（１５）がここで上流導管（４５）に配置されることである。導管（４５）を通って流れる空気は、シート（４）の長さに沿って存在する開口部（４６）を通して導管（１）に流れることができる。導管（１）は、空気分配導管（４５）内の静圧の差を幾分平準化して、開口部（３５）を通した温室成長部への空気の、より均等な流出をもたらす。導管（４５）は、シート（４７）とシート（４）とによって形成されている。シート（４）の端部（５，６）及びシート（４７）の端部（４８，４９）は、前述のように案内プロファイルを介して接続部（１８）の下端に接続されている。
【００３６】
したがって、本発明はまた、導管（１）の外部において、２つの細長の側端部（４８、４９）を有する第２の可撓性の細長のシート（４７）が、その細長の側端部（４８、４９）を介して、接続部（１８）を介して細長の栽培側溝（４）に接続され、それによって、第１の導管（１）の実質的に下方に配置された第２の導管（４５）を形成し、
シート（４）には、その長さに沿って導管（１）の内部（１３）を第２の導管（４５）の内部と流体的に接続する開口部（４６）が設けられ、
第２の導管（４５）の内部が、使用時に空気の流れを導管（４５）の一端に供給する空気置換手段（１５）に流体接続される、空気分配導管にも関する。
【００３７】
図１２および図１３は、図１および図２のような導管（１）を示し、その断面積が、前記導管（１）内の空気流の方向に減少する。この実施形態は、例えば、米国特許第１５０６９０４号明細書および国際公開第２０１８／１１１１００号に記載された原理を利用する。国際公開第２０１８／１１１１００号には、当て木によって支持することができるこのような導管が記載されている。現在示されている導管は、当て木を必要としないので、国際公開第２０１８／１１１１００号の導管と比較して有利である。
【００３８】
図１４は、前記導管（１）内の空気流の方向に徐々に減少する直径Ｄを有する、可能なシート（４）を示す。このシートは、２つの細長の側端部（５、６）を有し、図１２及び図１３の空気分配導管を得るために、これらを栽培側溝（３）に接続することができる。
【００３９】
図１５及び図１６は、図３及び図４のような導管（１）を示し、ここで、断面積は、前記導管（１）内の空気の流れの方向に減少する。シート（４）自体は、図１７に示すような開口部を有していない。
【００４０】
これらの図に示される導管は、縮尺に従って描かれていない。長さは、例えば１２０メートルを超えることができ、一方、図１に示す導管の直径は、例えば８０ｃｍとすることができる。
【００４１】
したがって、本発明は、シート（４）の２つの細長の側端部（５、６）間の距離Ｄが、シート（４）の長さに沿って、前記導管（１）内の空気流方向に減少する導管にも関する。
【００４２】
図１８は、平行に配置された複数の空気分配導管（１）を設けた温室（４０）を示す。温室（４０）には３つの切妻屋根（４１）が設けられている。商業的な温室は、１〜１００個、またはさらには１００個を超える、そのような切妻屋根（４１）を有することができる。温室（４０）の床には、７本のダクト（１）が示されている。温室は、このような平行に配置されたダクト（１）を２〜２５０本又はそれ以上を有することができる。ダクト（１）は、図１８の切妻屋根（４１）と平行に延びているが、ダクト（１）を切妻屋根（４１）の方向に対して垂直に配置することも可能である。空気は、例えば図１〜図１７に示すように、これらのダクトから開口部（４２）を通して温室の内部（４３）に分配される。この空気の分配のための駆動力は、導管（１）の上昇流端部（４５）のファン（４４）により提供される。導管（１）の反対側の下降流端部（４６）は閉じている。ファン（４４）に流入する空気は、図１９に示すように空調混合ゾーンで調整されることが好ましい。
【００４３】
図１９には図１８に示す半閉鎖型温室（４０）のＡＡ’断面が示されており、導管（１）は、温室の一方の端部壁（４８）に配置された通路（４７）に流体接続されている。端部壁（４８）には、温室の外部（５１）から空気を取り入れるためにシャッター（５０）によって開閉することができる、１つ以上の開口部（４９）が設けられている。更に、外側（５１）からの空気と温室（４０）内からの空気（５２）とを混合できる空調混合ゾーン通路（４７）が示されている。このように混合された空気は、導管（１）を通して内部（５３）に分配される。混合ゾーン通路（４７）は、側壁の全長に沿って延びる単一の空間であってもよいし、好ましくは温室（４０）の端部切妻（４８）全体に沿って延びる単一の空間であってもよい。シャッター（５４）の位置は、シャッター（５４）の方向に、温室内の植物の実質的に上方にある空気の流れを達成するのに十分に高くすることが好ましい。混合ゾーン通路（４７）に流入する、温室内からの空気（５２）の量は、シャッター（５４）によって制御することができる。シャッター（５０）及び（５４）を制御することによって、温室内の温度のような気候条件を制御することが可能である。屋根には開口部（５５）が設けられ、外気が吸い込まれたときに圧力が上昇するのを避けることができる。手段（４９）を通して温室に流入する空気の量は、棟梁の開口部を通して温室を出る空気（５５）とほぼ同じ量である。
【図１】
2021519095.tif 000003
【図２】
2021519095.tif 000004
【図３】
2021519095.tif 000005
【図４】
2021519095.tif 000006
【図５】
2021519095.tif 000007
【図６】
2021519095.tif 000008
【図７】
2021519095.tif 000009
【図８】
2021519095.tif 000010
【図９】
2021519095.tif 000011
【図９Ａ】
2021519095.tif 000012
【図１０】
2021519095.tif 000013
【図１１】
2021519095.tif 000014
【図１２】
2021519095.tif 000015
【図１３】
2021519095.tif 000016
【図１４】
2021519095.tif 000017
【図１５】
2021519095.tif 000018
【図１６】
2021519095.tif 000019
【図１７】
2021519095.tif 000020
【図１８】
2021519095.tif 000021
【図１９】
2021519095.tif 000022
【国際調査報告】
2021519095.tif 000023
2021519095.tif 000024
2021519095.tif 000025